(57)【要約】【課題】パケットの効率的配信を維持しながら、車両がパケットを確実に受信することを可能にするための技術を提供することである。【解決手段】本発明の一態様は、車両における受信品質を示す車両情報を取得する車両情報取得部と、前記受信品質が所定の閾値未満の車両がパケットの宛先の車両を示す宛先リストに含まれているか判断し、前記受信品質が所定の閾値未満の車両を検出すると、前記検出した車両に前記パケットをユニキャスト送信するようユニキャスト制御装置に指示し、前記受信品質が所定の閾値以上の車両に前記パケットをマルチキャスト送信する通信制御部と、を有するマルチキャスト制御装置に関する。【選択図】図４
2019068227.tif 000002
【特許請求の範囲】
【請求項１】
車両における受信品質を示す車両情報を取得する車両情報取得部と、
前記受信品質が所定の閾値未満の車両がパケットの宛先の車両を示す宛先リストに含まれているか判断し、前記受信品質が所定の閾値未満の車両を検出すると、前記検出した車両に前記パケットをユニキャスト送信するようユニキャスト制御装置に指示し、前記受信品質が所定の閾値以上の車両に前記パケットをマルチキャスト送信する通信制御部と、
を有するマルチキャスト制御装置。
【請求項２】
前記検出した車両にユニキャスト送信されるパケットは、優先的に送信される、請求項１記載のマルチキャスト制御装置。
【請求項３】
前記車両情報取得部は、前記受信品質が前記所定の閾値未満に低下した車両から、前記受信品質及び位置情報を含む車両情報を取得し、前記取得した位置情報を受信品質劣化位置として保持する、請求項１又は２記載のマルチキャスト制御装置。
【請求項４】
前記宛先リストの車両の移動方向及び移動速度を示すベクトル情報を取得すると、前記通信制御部は、前記ベクトル情報に基づき前記受信品質劣化位置に移動する車両が前記宛先リストにあるか判定し、前記受信品質劣化位置に移動する車両を検出すると、前記検出した車両に前記パケットをユニキャスト送信するよう前記ユニキャスト制御装置に指示する、請求項３記載のマルチキャスト制御装置。
【請求項５】
前記宛先リストの車両の推定される現在位置を取得すると、前記通信制御部は、前記推定される現在位置に基づき前記受信品質劣化位置に移動する車両が前記宛先リストにあるか判定し、前記受信品質劣化位置に移動する車両を検出すると、前記検出した車両に前記パケットをユニキャスト送信するよう前記ユニキャスト制御装置に指示する、請求項３記載のマルチキャスト制御装置。
【発明の詳細な説明】
【技術分野】
【０００１】
本発明は、無線通信システムに関する。
【背景技術】
【０００２】
現在、コネクティッドカーに関する技術開発が進められており、図１に示されるように、各種車両無線通信技術が開発されている。例えば、コネクティッドカー通信のための技術としてＤＳＲＣ（Ｄｅｄｉｃａｔｅｄ  Ｓｈｏｒｔ  Ｒａｎｇｅ  Ｃｏｍｍｕｎｉｃａｔｉｏｎ）（狭域通信とも呼ばれる）による車車間通信が検討されてきた。また、ＤＳＲＣ技術に加えて、より広いカバー領域を実現する移動通信を用いたＬＴＥ  Ｖ２Ｘ（Ｌｏｎｇ  Ｔｅｒｍ  Ｅｖｏｌｕｔｉｏｎ  Ｖｅｈｉｃｌｅ  ｔｏ  Ｅｖｅｒｙｔｈｉｎｇ）が注目され、特に海外においてＬＴＥ  Ｖ２Ｘのトライアル及び検証が急速に進められている。
【発明の概要】
【発明が解決しようとする課題】
【０００３】
ＬＴＥ  Ｖ２Ｘでは、特定のエリアに当該エリアに関する情報を効率的に配信することが必要とされる。これを実現するための１つのアプローチとして、マルチキャスト方式による情報配信が利用可能である。例えば、基地局のセル単位で情報をマルチキャストする技術として、ＳＣ−ＰｔＭ（Ｓｉｎｇｌｅ−Ｃｅｌｌ  Ｐｏｉｎｔ−ｔｏ−Ｍｕｌｔｉｃａｓｔ）が知られている。
【０００４】
しかしながら、セル端に位置する車両、受信品質が劣化した場所に位置する車両、電波干渉の発生場所に位置する車両などにはマルチキャスト送信されたパケットが到達しない可能性がある。
【０００５】
上述した問題点を鑑み、本発明の課題は、パケットの効率的配信を維持しながら、車両がパケットを確実に受信することを可能にするための技術を提供することである。
【課題を解決するための手段】
【０００６】
上記課題を解決するため、本発明の一態様は、車両における受信品質を示す車両情報を取得する車両情報取得部と、前記受信品質が所定の閾値未満の車両がパケットの宛先の車両を示す宛先リストに含まれているか判断し、前記受信品質が所定の閾値未満の車両を検出すると、前記検出した車両に前記パケットをユニキャスト送信するようユニキャスト制御装置に指示し、前記受信品質が所定の閾値以上の車両に前記パケットをマルチキャスト送信する通信制御部と、を有するマルチキャスト制御装置に関する。
【発明の効果】
【０００７】
本発明によると、パケットの効率的配信を維持しながら、車両がパケットを確実に受信することが可能になる。
【図面の簡単な説明】
【０００８】
【図１】図１は、各種車両関連通信を示す概略図である。
【図２】図２は、本発明の一実施例による無線通信システムの全体構成を示すブロック図である。
【図３】図３は、本発明の一実施例によるマルチキャスト制御装置の機能構成を示すブロック図である。
【図４】図４は、本発明の一実施例によるパケット配信処理を示すシーケンス図である。
【図５】図５は、本発明の他の実施例によるパケット配信処理を示すシーケンス図である。
【図６】図６は、本発明の一実施例によるマルチキャスト制御装置、ユニキャスト制御装置、サーバ、ユーザ装置及び基地局のハードウェア構成を示すブロック図である。
【発明を実施するための形態】
【０００９】
以下、図面に基づいて本発明の実施の形態を説明する。
【００１０】
以下の実施例では、マルチキャスト送信及びユニキャスト送信が可能な無線通信システムが開示される。後述される実施例によると、受信品質が所定の閾値未満の車両にはパケットがユニキャスト送信され、受信品質が所定の閾値以上の車両にはパケットがマルチキャスト配信される。また、受信品質が所定の閾値未満の車両にユニキャスト送信されるパケットは、相対的に高いＱｏＳ（Ｑｕａｌｉｔｙ  ｏｆ  Ｓｅｒｖｉｃｅ）によって送信される。これにより、マルチキャスト送信によってパケットをセル内の各車両に効率的に配信しながら、受信品質の不良な車両にはパケットを確実に送信するためユニキャスト送信することが可能になる。
【００１１】
まず、図２を参照して、本発明の一実施例による無線通信システムを説明する。図２は、本発明の一実施例による無線通信システムの全体構成を示すブロック図である。
【００１２】
図２に示されるように、無線通信システム１０は、車両２０、基地局３０、位置登録装置（Ｍｏｂｉｌｉｔｙ  Ｍａｎａｇｅｍｅｎｔ  Ｅｎｔｉｔｙ：ＭＭＥ）、ＩＴＳ（Ｉｎｔｅｌｌｉｇｅｎｔ  Ｔｒａｎｓｐｏｒｔ  Ｓｙｓｔｅｍ）サーバ５０、地図情報データベース（ＤＢ）６０、マルチキャスト制御装置１００及びユニキャスト制御装置２００を有する。無線通信システム１０は、例えば、ＬＴＥ  Ｖ２Ｘ又は何れかのセルラ通信をサポートしてもよい。
【００１３】
車両２０は、典型的には、自動車であるが、これに限定されず、列車、船舶、飛行機、ベルトコンベア、エスカレータなどの何れかの移動手段であってもよい。車両２０は、基地局３０と無線通信するための車載通信装置又はユーザ装置を含む。以降において、車両２０及び当該車両２０に搭載される車載通信装置又はユーザ装置は、車両２０として総称される。
【００１４】
基地局３０は、セルを介し車両２０と無線接続し、マルチキャスト制御装置１００及びユニキャスト制御装置２００を含むコアネットワークから受信したダウンリンクデータを車両２０に送信すると共に、車両２０から受信したアップリンクデータをコアネットワークに転送する。
【００１５】
位置登録装置（ＭＭＥ）４０は、車両２０を位置登録し、車両２０の在圏セルを管理する。
【００１６】
ＩＴＳサーバ５０は、特定のエリアに関する情報（例えば、事故情報、渋滞情報）を対応するセルを提供する基地局３０を介し当該エリアに位置する車両２０に配信する。このため、ＩＴＳサーバ５０は、各車両２０の位置をトラッキングする必要があり、例えば、各車両２０から位置情報を取得することによって、あるいは、各車両２０が在圏するセルを把握することによって、各車両２０の位置を管理する。特定のエリアに位置する車両２０に当該エリアに関する情報を配信する場合、ＩＴＳサーバ５０は、宛先となる当該エリアに在圏する車両２０を記述した宛先リストと共に、配信対象のパケットをマルチキャスト制御装置１００に提供する。
【００１７】
地図情報ＤＢ６０は、地図情報を保持し、ＩＴＳサーバ５０から取得要求に応答して、保持する地図情報を提供する。
【００１８】
マルチキャスト制御装置１００は、ＩＴＳサーバ５０から受信した配信対象のパケットをマルチキャスト送信するよう基地局３０を制御する。具体的には、配信対象のパケットと配信先の車両２０を示す宛先リストとを受信すると、マルチキャスト制御装置１００は、宛先リストから受信品質が良好でない車両２０を特定し、特定した車両２０を除く車両２０（マルチキャスト車両）に配信対象のパケットをマルチキャスト送信すると共に、特定した車両２０（ユニキャスト車両）に配信対象のパケットをユニキャスト送信するようユニキャスト制御装置２００に指示する。
【００１９】
ユニキャスト制御装置２００は、車両２０に配信対象のパケットをユニキャスト送信するよう基地局３０を制御する。以下の実施例では、マルチキャスト制御装置１００から車両２０に配信対象のパケットをユニキャスト送信するよう指示されると、ユニキャスト制御装置２００は、配信対象のパケットを当該車両２０にユニキャスト送信する。
【００２０】
次に、図３を参照して、本発明の一実施例によるマルチキャスト送信及びユニキャスト送信をより詳細に説明する。図３は、本発明の一実施例によるマルチキャスト制御装置の機能構成を示すブロック図である。
【００２１】
図３に示されるように、マルチキャスト制御装置１００は、車両情報取得部１１０及び通信制御部１２０を有する。
【００２２】
車両情報取得部１１０は、車両２０における受信品質を示す車両情報を取得する。具体的には、車両２０は、車両２０と基地局３０との間の無線品質を測定し、車両２０と基地局３０との間の無線通信における受信品質が所定の閾値未満に低下すると、基地局３０を介しマルチキャスト制御装置１００に受信品質を報告する。車両２０から受信品質を受信すると、車両情報取得部１１０は、受信した受信品質を当該車両２０の車両情報として保持する。
【００２３】
通信制御部１２０は、受信品質が所定の閾値未満の車両２０がパケットの宛先の車両２０を示す宛先リストに含まれているか判断し、受信品質が所定の閾値未満の車両２０を検出すると、検出した車両２０にパケットをユニキャスト送信するようユニキャスト制御装置２００に指示し、受信品質が所定の閾値以上の車両２０にパケットをマルチキャスト送信する。具体的には、ＩＴＳサーバ５０は、配信対象のパケットと共に、当該パケットの宛先の車両２０を示す宛先リストをマルチキャスト制御装置１００に提供する。例えば、ＩＴＳサーバ５０が特定のセルに位置する車両２０にパケットを配信する場合、ＩＴＳサーバ５０は、当該セルに在圏する車両２０を示す宛先リストを生成し、配信対象のパケットと共に当該宛先リストをマルチキャスト制御装置１００に提供する。
【００２４】
ＩＴＳサーバ５０から配信対象のパケットと共に当該宛先リストを受信すると、通信制御部１２０は、車両情報取得部１１０に保持される車両情報から受信品質が所定の閾値未満に低下した車両２０を特定し、特定した車両２０が宛先リストに含まれているか判断する。特定した車両２０が宛先リストに検出されると、通信制御部１２０は、検出された車両２０には配信対象のパケットをマルチキャストでなくユニキャストにより送信するため、配信対象のパケットを当該車両２０にユニキャスト送信するようユニキャスト制御装置２００に指示する。
【００２５】
当該指示を受信すると、ユニキャスト制御装置２００は、マルチキャスト制御装置１００によって指定された車両２０に配信対象のパケットをユニキャスト送信するよう基地局３０を制御する。他方、検出された車両２０以外の宛先リストに示される車両２０については、マルチキャスト制御装置１００は、配信対象のパケットを当該車両２０にマルチキャスト送信するよう基地局３０を制御する。
【００２６】
一実施例では、検出された車両２０にユニキャスト送信されるパケットは、優先的に送信されてもよい。すなわち、ユニキャスト制御装置２００は、当該パケットを指定された車両２０にユニキャスト送信する際、相対的に高いＱｏＳによりパケットを送信するよう基地局３０を制御してもよい。これにより、受信品質が低下している車両２０に対してより確実にパケットを送信することが可能になる。
【００２７】
一実施例では、車両情報取得部１１０は、受信品質が所定の閾値未満に低下した車両２０から、受信品質及び位置情報を含む車両情報を取得し、取得した位置情報を受信品質劣化位置として保持してもよい。すなわち、車両２０は、受信品質が所定の閾値未満に低下すると、基地局３０を介しマルチキャスト制御装置１００に受信品質と共に位置情報を報告する。車両２０から受信品質及び位置情報を受信すると、車両情報取得部１１０は、受信した受信品質及び位置情報を当該車両２０の車両情報として保持する。このとき、車両情報取得部１１０は、受信品質が所定の閾値未満に低下した車両２０から受信した位置情報を受信品質劣化位置として保持してもよい。これは、受信品質の低下が位置に起因するものであり、当該位置及びその近傍に位置した車両２０の受信品質は低下すると推定できるためである。
【００２８】
このとき、ＩＴＳサーバ５０が上述した配信対象のパケット及び宛先リストと共に、当該宛先リストの車両の移動方向及び移動速度を示すベクトル情報をマルチキャスト制御装置１００に提供する場合、通信制御部１２０は、ベクトル情報に基づき受信品質劣化位置に移動する車両２０が宛先リストにあるか判定し、受信品質劣化位置に移動する車両２０を検出すると、検出した車両２０にパケットをユニキャスト送信するようユニキャスト制御装置２００に指示してもよい。車両２０は移動しているため、車両２０における受信品質は一般に経時的に変動すると考えられる。このため、車両情報取得部１１０によって保持されている所定の閾値未満の受信品質の車両２０以外にも、受信品質が劣化していると推測される車両２０が存在しうる。一例として、受信品質が劣化していると推測される車両２０として、受信品質劣化位置及びその近傍に位置する車両２０があげられる。ある時点における車両２０の移動方向及び移動速度を示すベクトル情報が与えられると、通信制御部１２０は、現時点での当該車両２０の位置を推定することができ、推定された現在位置が受信品質劣化位置を中心とする所定の範囲内にある車両２０を検出することができる。推定された現在位置が受信品質劣化位置を中心とする所定の範囲内にある車両２０を検出した場合、無線通信制御部１２０は、検出した車両２０には配信対象のパケットをマルチキャストでなくユニキャストにより送信するため、配信対象のパケットを当該車両２０にユニキャスト送信するようユニキャスト制御装置２００に指示する。
【００２９】
当該指示を受信すると、ユニキャスト制御装置２００は、当該ユニキャスト車両２０に配信対象のパケットをユニキャスト送信するよう基地局３０を制御する。他方、検出された車両２０以外の宛先リストに示されるマルチキャスト車両２０については、マルチキャスト制御装置１００は、配信対象のパケットをマルチキャスト送信するよう基地局３０を制御する。
【００３０】
あるいは、他の実施例では、ＩＴＳサーバ５０は、車両２０のベクトル情報の代わりに車両２０の推定される現在位置をマルチキャスト制御装置１００に提供してもよい。この場合、無線制御部１２０は、ベクトル情報から車両２０の推定される現在位置を計算することなく、取得した推定される現在位置が受信品質劣化位置を中心とする所定の範囲内にある車両２０を検出することができる。
【００３１】
次に、図４を参照して、本発明の一実施例によるパケット配信処理を説明する。図４は、本発明の一実施例によるパケット配信処理を示すシーケンス図である。
【００３２】
図４に示されるように、ステップＳ１０１において、車両２０は、基地局３０との無線通信における受信品質が所定の閾値未満となり、受信品質の劣化を検知すると、ステップＳ１０２において、検知した受信品質を基地局３０を介しマルチキャスト制御装置１００に報告する。
【００３３】
ステップＳ１０３において、マルチキャスト制御装置１００は、受信品質が劣化した車両２０の受信品質を示す車両情報を保持する。
【００３４】
ステップＳ１０４において、マルチキャスト制御装置１００は、ＩＴＳサーバ５０から配信対象のパケットと当該パケットの送信先を示す宛先リストとを受信する。
【００３５】
ステップＳ１０５において、マルチキャスト制御装置１００は、受信した宛先リストに受信品質が劣化した車両２０が含まれているか判断し、宛先リストにおいて受信品質が劣化した車両２０を検出すると、検出した車両２０をユニキャスト車両として選定する。
【００３６】
ステップＳ１０６において、マルチキャスト制御装置１００は、配信対象のパケットを検出した車両２０にユニキャスト送信するようユニキャスト制御装置２００に指示する。
【００３７】
ステップＳ１０７において、マルチキャスト制御装置１００は、検出した車両２０以外の宛先リストの車両２０には配信対象のパケットをマルチキャスト送信するよう基地局３０に指示する。他方、ステップＳ１０８において、ユニキャスト制御装置２００は、指示されたユニキャスト車両２０に配信対象のパケットをユニキャスト送信するよう基地局３０に指示する。
【００３８】
ステップＳ１０９において、基地局３０は、マルチキャスト車両２０には配信対象のパケットをマルチキャスト送信し、ユニキャスト車両２０には配信対象のパケットをユニキャスト送信する。なお、基地局３０は、相対的に高いＱｏＳによりユニキャスト車両２０にパケットを送信してもよい。
【００３９】
次に、図５を参照して、本発明の他の実施例によるパケット配信処理を説明する。図５は、本発明の他の実施例によるパケット配信処理を示すシーケンス図である。本実施例では、マルチキャスト制御装置１００は、車両２０から受信品質と共に位置情報を取得し、さらにＩＴＳサーバ５０から配信対象のパケット及び宛先リストと共に車両２０のベクトル情報を取得する。ここで、マルチキャスト制御装置１００は、地図情報ＤＢ６０から地図情報を取得し、取得した地図情報を用いて受信品質劣化位置から所定の範囲内に位置する車両２０を検出してもよい。
【００４０】
図５に示されるように、ステップＳ２０１において、車両２０は、基地局３０との無線通信における受信品質が所定の閾値未満となり、受信品質の劣化を検知すると、ステップＳ２０２において、検知した受信品質と共に位置情報を基地局３０を介しマルチキャスト制御装置１００に報告する。
【００４１】
ステップＳ２０３において、マルチキャスト制御装置１００は、受信品質が劣化した車両２０の受信品質及び位置情報を示す車両情報を保持し、当該位置を受信品質劣化位置として設定する。
【００４２】
ステップＳ２０４において、マルチキャスト制御装置１００は、ＩＴＳサーバ５０から配信対象のパケット及び当該パケットの送信先を示す宛先リストと共に、宛先リスト内の各車両２０のベクトル情報を受信する。他の実施例では、マルチキャスト制御装置１００は、ベクトル情報の代わりにＩＴＳサーバ５０により計算された各車両２０の推定される現在位置を受信してもよい。
【００４３】
ステップＳ２０５において、マルチキャスト制御装置１００は、ベクトル情報から各車両２０の現在位置を推定し、受信した宛先リストに受信品質劣化位置及びその近傍に位置する車両２０が含まれているか判断する。宛先リストにおいて該当する車両２０を検出すると、マルチキャスト制御装置１００は、検出した車両２０をユニキャスト車両として選定する。
【００４４】
ステップＳ２０６において、マルチキャスト制御装置１００は、配信対象のパケットを検出した車両２０にユニキャスト送信するようユニキャスト制御装置２００に指示する。
【００４５】
ステップＳ２０７において、マルチキャスト制御装置１００は、検出した車両２０以外の宛先リストの車両２０には配信対象のパケットをマルチキャスト送信するよう基地局３０に指示する。他方、ステップＳ２０８において、ユニキャスト制御装置２００は、指示されたユニキャスト車両２０に配信対象のパケットをユニキャスト送信するよう基地局３０に指示する。
【００４６】
ステップＳ２０９において、基地局３０は、マルチキャスト車両２０には配信対象のパケットをマルチキャスト送信し、ユニキャスト車両２０には配信対象のパケットをユニキャスト送信する。なお、基地局３０は、相対的に高いＱｏＳによりユニキャスト車両２０にパケットを送信してもよい。
【００４７】
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００４８】
例えば、本発明の一実施の形態におけるマルチキャスト装置１００、ユニキャスト装置２００、ＩＴＳサーバ５０、ユーザ装置２０及び基地局３０は、本発明の無線通信方法の処理を行うコンピュータとして機能してもよい。図６は、本発明の一実施例によるマルチキャスト装置１００、ユニキャスト装置２００、ＩＴＳサーバ５０、ユーザ装置２０及び基地局３０のハードウェア構成を示すブロック図である。上述のマルチキャスト装置１００、ユニキャスト装置２００、ＩＴＳサーバ５０、ユーザ装置２０及び基地局３０は、物理的には、プロセッサ１００１、メモリ１００２、ストレージ１００３、通信装置１００４、入力装置１００５、出力装置１００６、バス１００７などを含むコンピュータ装置として構成されてもよい。
【００４９】
なお、以下の説明では、「装置」という文言は、回路、デバイス、ユニットなどに読み替えることができる。マルチキャスト装置１００、ユニキャスト装置２００、ＩＴＳサーバ５０、ユーザ装置２０及び基地局３０のハードウェア構成は、図に示した各装置を１つ又は複数含むように構成されてもよいし、一部の装置を含まずに構成されてもよい。
【００５０】
マルチキャスト装置１００、ユニキャスト装置２００、ＩＴＳサーバ５０、ユーザ装置２０及び基地局３０における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００５１】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述の各構成要素は、プロセッサ１００１で実現されてもよい。
【００５２】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、マルチキャスト装置１００、ユニキャスト装置２００、ＩＴＳサーバ５０、ユーザ装置２０及び基地局３０の各構成要素による処理は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００５３】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【００５４】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００５５】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の各構成要素は、通信装置１００４で実現されてもよい。
【００５６】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００５７】
また、プロセッサ１００１やメモリ１００２などの各装置は、情報を通信するためのバス１００７で接続される。バス１００７は、単一のバスで構成されてもよいし、装置間で異なるバスで構成されてもよい。
【００５８】
また、マルチキャスト装置１００、ユニキャスト装置２００、ＩＴＳサーバ５０、ユーザ装置２０及び基地局３０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００５９】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【００６０】
本明細書で説明した各態様／実施例は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００６１】
本明細書で説明した各態様／実施例の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００６２】
本明細書において基地局３０によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード(例えば、MMEまたはS-GWなどが考えられるが、これらに限られない)によって行われ得ることは明らかである。上記において基地局以外の他のネットワークノードが１つである場合を例示したが、複数の他のネットワークノードの組み合わせ(例えば、MMEおよびS-GW)であってもよい。
【００６３】
情報等は、上位レイヤ(または下位レイヤ)から下位レイヤ(または上位レイヤ)へ出力され得る。複数のネットワークノードを介して入出力されてもよい。
【００６４】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００６５】
判定は、１ビットで表される値（０か１か）によって行われてもよいし、真偽値（Boolean：trueまたはfalse）によって行われてもよいし、数値の比較（例えば、所定の値との比較）によって行われてもよい。
【００６６】
本明細書で説明した各態様／実施例は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００６７】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００６８】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００６９】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００７０】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００７１】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【００７２】
本明細書で使用する「システム」および「ネットワーク」という用語は、互換的に使用される。
【００７３】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【００７４】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【００７５】
基地局は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Ｒｅｍｏｔｅ  Ｒａｄｉｏ  Ｈｅａｄ）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」、「ｅＮＢ」、「セル」、および「セクタ」という用語は、本明細書では互換的に使用され得る。基地局は、固定局（fixed station）、ＮｏｄｅＢ、ｅＮｏｄｅＢ（ｅＮＢ）、アクセスポイント（access point）、フェムトセル、スモールセルなどの用語で呼ばれる場合もある。
【００７６】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００７７】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００７８】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【００７９】
参照信号は、ＲＳ（Reference Signal）と略称することもでき、適用される標準によってパイロット（Pilot）と呼ばれてもよい。
【００８０】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００８１】
本明細書で使用する「第１の」、「第２の」などの呼称を使用した要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【００８２】
上記の各装置の構成における「手段」を、「部」、「回路」、「デバイス」等に置き換えてもよい。
【００８３】
「含む(ｉｎｃｌｕｄｅ)」、「含んでいる（ｉｎｃｌｕｄｉｎｇ）」、およびそれらの変形が、本明細書あるいは特許請求の範囲で使用されている限り、これら用語は、用語「備える（ｃｏｍｐｒｉｓｉｎｇ）」と同様に、包括的であることが意図される。さらに、本明細書あるいは特許請求の範囲において使用されている用語「または（or）」は、排他的論理和ではないことが意図される。
【００８４】
無線フレームは時間領域において１つまたは複数のフレームで構成されてもよい。時間領域において１つまたは複数の各フレームはサブフレームと呼ばれてもよい。サブフレームは更に時間領域において１つまたは複数のスロットで構成されてもよい。スロットはさらに時間領域において１つまたは複数のシンボル（ＯＦＤＭシンボル、ＳＣ-ＦＤＭＡシンボル等）で構成されてもよい。無線フレーム、サブフレーム、スロット、およびシンボルは、いずれも信号を伝送する際の時間単位を表す。無線フレーム、サブフレーム、スロット、およびシンボルは、それぞれに対応する別の呼び方であってもよい。例えば、ＬＴＥシステムでは、基地局が各移動局に無線リソース（各移動局において使用することが可能な周波数帯域幅や送信電力等）を割り当てるスケジューリングを行う。スケジューリングの最小時間単位をＴＴＩ（Ｔｒａｎｓｍｉｓｓｉｏｎ  Ｔｉｍｅ  Ｉｎｔｅｒｖａｌ）と呼んでもよい。例えば、1サブフレームをＴＴＩと呼んでもよいし、複数の連続したサブフレームをＴＴＩと呼んでもよいし、１スロットをＴＴＩと呼んでもよい。リソースブロック（ＲＢ）は、時間領域および周波数領域のリソース割当単位であり、周波数領域では１つまたは複数個の連続した副搬送波（ｓｕｂｃａｒｒｉｅｒ）を含んでもよい。また、リソースブロックの時間領域では、１つまたは複数個のシンボルを含んでもよく、１スロット、１サブフレーム、または１ＴＴＩの長さであってもよい。１ＴＴＩ、１サブフレームは、それぞれ１つまたは複数のリソースブロックで構成されてもよい。上述した無線フレームの構造は例示に過ぎず、無線フレームに含まれるサブフレームの数、サブフレームに含まれるスロットの数、スロットに含まれるシンボルおよびリソースブロックの数、および、リソースブロックに含まれるサブキャリアの数は様々に変更することができる。
【００８５】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００８６】
１０  無線通信システム
２０  車両（ユーザ装置）
３０  基地局
４０  位置登録装置
５０  ＩＴＳサーバ
６０  地図情報ＤＢ
１００  マルチキャスト装置
２００  ユニキャスト装置
【図１】
2019068227.tif 000003
【図２】
2019068227.tif 000004
【図３】
2019068227.tif 000005
【図４】
2019068227.tif 000006
【図５】
2019068227.tif 000007
【図６】
2019068227.tif 000008